(57)【要約】【課題】セラミック構造体及びその製造方法を提供する。【解決手段】本発明は、内部に埋設された第１伝導性構造物、及び前記第１伝導性構造物と異なる深さで埋設された第２伝導性構造物を含むセラミック構造体であって、前記第１伝導性構造物と第２伝導性構造物がセラミック構造体の焼結時、内部に埋設されたままセラミックシートの垂直方向の収縮率を補償した電気伝導性連結部材によって電気的に連結されたセラミック構造体及びその製造方法を提供する。【選択図】図２
2020202372.tif 000002
【特許請求の範囲】
【請求項１】
（ａ）第１層のセラミックシートを形成する段階、
（ｂ）前記第１層のセラミックシートの上に第１伝導性構造物を形成する段階、
（ｃ）前記第１伝導性構造物の上に第２層のセラミックシートを形成する段階、
（ｄ）前記第２層のセラミックシートにセラミックシートの垂直方向の収縮率を補償することができる電気伝導性連結部材を埋設する段階、
（ｅ）前記第２層のセラミックシートの上に第２伝導性構造物を形成する段階、
（ｆ）前記第２伝導性構造物の上に第３層のセラミックシートを形成する段階、及び
（ｇ）前記（ｆ）段階で製造されたセラミックシートの積層体を焼結する段階、を含むセラミック構造体の製造方法であって、
前記セラミック構造体は、セラミックシートの垂直方向の収縮率を補償することができる電気伝導性連結部材によって第１伝導性構造物及び第２伝導性構造物が電気的に連結された構造を含むことを特徴とするセラミック構造体の製造方法。
【請求項２】
前記第１伝導性構造物及び前記第２伝導性構造物は、ＲＦ電極またはヒーター電極であることを特徴とする請求項１に記載のセラミック構造体の製造方法。
【請求項３】
前記セラミックシートの垂直方向の収縮率を補償することができる電気伝導性連結部材は、垂直方向の弾性を有する連結部材であることを特徴とする請求項１に記載のセラミック構造体の製造方法。
【請求項４】
前記垂直方向の弾性を有する連結部材は、弾性ワイヤ及びスプリングからなる群から選択される１つ以上を含むことを特徴とする請求項３に記載のセラミック構造体の製造方法。
【請求項５】
前記セラミックシートの垂直方向の収縮率を補償することができる電気伝導性連結部材は、キャップと、前記キャップと嵌め合う挿入部材を含む連結部材であることを特徴とする請求項１に記載のセラミック構造体の製造方法。
【請求項６】
前記キャップは、セラミックシートが垂直方向に収縮する長さよりも深い挿入部材の挿入溝を有することを特徴とする請求項５に記載のセラミック構造体の製造方法。
【請求項７】
前記第１層ないし第３層のセラミックシートを構成するセラミック素材は、窒化アルミニウム、ＳｉＣ、ＳｉＮ、Ａｌ２Ｏ３、及びＡｌＯＮからなる群から選択される１種以上であることを特徴とする請求項１に記載のセラミック構造体の製造方法。
【請求項８】
前記第１層ないし第３層のセラミックシートの形成は、セラミック粉末での形成、セラミック粉末スラリーでの形成、または予めシート形状で製造されたシートでの形成であることを特徴とする請求項１に記載のセラミック構造体の製造方法。
【請求項９】
前記第１伝導性構造物及び前記第２伝導性構造物の形成は、一定した形態を有する構造物を使っての形成、またはセラミックシートの上に伝導性構造物を印刷する形成であることを特徴とする請求項１に記載のセラミック構造体の製造方法。
【請求項１０】
前記（ｃ）段階でセラミックシートの垂直方向の収縮率を補償することができる電気伝導性連結部材は、第２層セラミックシートの上に埋める方法によって設置されることを特徴とする請求項１に記載のセラミック構造体の製造方法。
【請求項１１】
前記（ａ）ないし（ｆ）段階でのセラミックシートの積層はモールド内で行われ、前記（ｆ）段階での焼結は垂直方向に圧力を加える方法で行われることを特徴とする請求項１に記載のセラミック構造体の製造方法。
【請求項１２】
セラミック構造体であって、
前記セラミック構造体の内部に埋設された第１伝導性構造物、及び
前記第１伝導性構造物と異なる深さで埋設された第２伝導性構造物を含み、
前記第１伝導性構造物と前記第２伝導性構造物が、セラミック構造体の焼結時に内部に埋設されたままセラミックシートの垂直方向の収縮率を補償した電気伝導性連結部材によって電気的に連結されたセラミック構造体。
【請求項１３】
前記第１伝導性構造物及び第２伝導性構造物は、ＲＦ電極またはヒーター電極であることを特徴とする請求項１２に記載のセラミック構造体。
【請求項１４】
前記セラミックシートの垂直方向の収縮率を補償した電気伝導性連結部材が垂直方向の弾性を有する連結部材であることを特徴とする請求項１２に記載のセラミック構造体。
【請求項１５】
前記垂直方向の弾性を有する連結部材は、弾性ワイヤ及びスプリングからなる群から選択される１つ以上を含むことを特徴とする請求項１４に記載のセラミック構造体。
【請求項１６】
前記セラミックシートの垂直方向の収縮率を補償した電気伝導性連結部材が、キャップと前記キャップと嵌め合う挿入部材を含む連結部材であることを特徴とする請求項１２に記載のセラミック構造体。
【請求項１７】
前記キャップは、焼結時にセラミックシートが垂直方向に収縮する長さよりも深い挿入部材の挿入溝を有することを特徴とする請求項１６に記載のセラミック構造体。
【請求項１８】
前記セラミックシートの垂直方向の収縮率を補償した電気伝導性連結部材は、末端に伝導性構造物との接触面積の拡大及び安定的な接触のために連結端子をさらに含むことを特徴とする請求項１２に記載のセラミック構造体。
【請求項１９】
前記セラミック構造体は、継ぎ目がないモノリシック（ｍｏｎｏｌｉｔｈｉｃ）セラミック構造体であることを特徴とする請求項１２に記載のセラミック構造体。
【請求項２０】
処理基板の支持台として請求項１２に記載のセラミック構造体を含むプラズマ処理処置。
【発明の詳細な説明】
【技術分野】
【０００１】
本発明は、プラズマ処理装置用セラミック構造体及びその製造方法に関する。
【背景技術】
【０００２】
内部にＲＦ（ｒａｄｉｏ  ｆｒｅｑｕｅｎｃｙ，無線周波数）電極及び／またはヒーター電極など伝導性構造物が埋設されたセラミック構造体は、半導体製造工程の中でウェハー（ｗａｆｅｒ）などのプラズマ処理のための支持台などで使われる。
【０００３】
前記セラミック構造体でＲＦ電極及び／またはヒーター電極などの伝導性構造物は、構造物の間を電気的に連結するために横方向の連結と軸方向の連結が要求される。前記横方向の連結の場合、連結部材を使用して通常の方法で伝導性構造物の間を電気的に連結することができる。しかし、軸方向（垂直方向）連結の場合、セラミック構造体が焼結時に軸方向に大きく収縮するので、セラミック構造体内で直接連結することは難しい。
【０００４】
前記のような理由を具体的に説明すれば、次のとおりである。
【０００５】
伝導性構造物を含むセラミック構造体を製造するためには、セラミック粉末状態で伝導性構造物を挿入し、高温及び高圧で焼結する過程が必須である。前記焼結過程で高圧が軸方向に印加されるのでセラミック粉末の横方向への収縮は大きくないが、大きい圧力を受ける軸方向の収縮は大きく発生する。一方、前記焼結過程で軸方向に連結するための垂直方向伝導性連結部材（例：金属部材など）は、通常セラミック粉末と同等の収縮が発生しない。したがって、このような収縮率の差によって、セラミック構造体を焼結する場合、垂直方向伝導性連結部材によってＲＦ電極及び／またはヒーター電極などの伝導性構造物が損傷したり、電気的連結が切れたりする問題が発生する。
【０００６】
そのため、このような問題を解消するためには、セラミック粉末と垂直方向伝導性連結部材の収縮量を予想して伝導性構造物間の垂直方向の連結を試みなければならない。しかし、セラミック粉末と垂直方向伝導性連結部材（例：金属部材など）の収縮量を正確に予測することが難しいため、このような方法で軸方向の連結を試みる場合、伝導性構造物と垂直方向伝導性連結部材との間の接触が行われなかったり、セラミック粉末の軸方向への過度な収縮によって垂直方向伝導性連結部材によって伝導性構造物が損傷されたり変形される問題が必然的に発生する。
【０００７】
そのため、従来のＲＦ電極及び／またはヒーター電極などの伝導性構造物を含むセラミック構造体は、伝導性構造物間の横方向の連結構造を活用しているが、軸方向の連結構造は活用できていない実情である。
【０００８】
例えば、特許文献１は、図１に図示されたように、第１ＲＦ電極１、第２ＲＦ電極２、及びヒーター電極３が埋設されたセラミック気体６及びこれを含むサセプタを開示している。前記第１ＲＦ電極１及び第２ＲＦ電極２は、形態及びサイズを異にすること（請求項１項参照）を特徴とするので、このＲＦ電極に対してセラミック気体６の内部で電気的連結を形成することは、セラミック気体６の製造工程の単純化、ＲＦ電極の汚染防止、及び腐食防止などによるＲＦ電極の耐久性向上の面で好ましい。しかし、前記先行技術は、前述した軸方向の電気的連結の難しさのため、前記第１ＲＦ電極１及び第２ＲＦ電極２にそれぞれ別途のリード線４、５を連結し、これらのリード線をＲＦ電源に連結している。
【０００９】
前記のように別途のリード線４、５を使用する場合、それぞれのＲＦ電極からリード線まで横方向の連結ラインを形成し、各々のリード線と半田付けなどを通じて連結を形成しなければならないし、作業において空間的制約が存在するので製造工程を増加させ、各々のリード線が必要なので原価面でも好ましくない。また、前記セラミック構造体は半導体工程など耐食性が必要な環境で使われるので、前記先行技術のように、電気的連結部材がセラミック部材の外部に露出される場合、早い腐食、パーティクルによる汚染などによって寿命が縮まる短所をもたらす。また、接合構造による電気的なノイズを発生させる短所を有する。
【先行技術文献】
【特許文献】
【００１０】
【特許文献１】韓国公開特許第１０‐２０１４‐００６５０１６号公報
【発明の概要】
【発明が解決しようとする課題】
【００１１】
本発明者らは、前記のような従来技術の問題を解決するために鋭意研究したところ、ＲＦ電極及び／またはヒーター電極など伝導性構造物が埋設されたセラミック構造体内で前記伝導性構造物間の軸方向の連結構造を副作用なしに形成することができる方法を見つけ出して本発明を完成した。
【００１２】
よって、本発明は、ＲＦ電極及び／またはヒーター電極など伝導性構造物及び前記伝導性構造物の間を副作用なしに軸方向に連結させることができる電気的連結構造物が埋設されたセラミック構造体を提供することを目的とする。
【００１３】
また、本発明は、前記セラミック構造体を効率的に製造することができる製造方法を提供することを目的とする。
【課題を解決するための手段】
【００１４】
前記のような目的を達成するために、本発明は、
（ａ）第１層のセラミックシートを形成する段階；
（ｂ）前記第１層のセラミックシートの上に第１伝導性構造物を形成する段階；
（ｃ）前記第１伝導性構造物の上に第２層のセラミックシートを形成する段階；
（ｄ）前記第２層のセラミックシートにセラミックシートの垂直方向の収縮率を補償することができる電気伝導性連結部材を埋設する段階；
（ｅ）前記第２層のセラミックシートの上に第２伝導性構造物を形成する段階；
（ｆ）前記第２伝導性構造物の上に第３層のセラミックシートを形成する段階；及び
（ｇ）前記（ｆ）段階で製造されたセラミックシートの積層体を焼結する段階；を含むセラミック構造体の製造方法であって、
前記セラミック構造体は、セラミックシートの垂直方向の収縮率を補償することができる電気伝導性連結部材によって第１伝導性構造物及び第２伝導性構造物が電気的に連結された構造を含むことを特徴とするセラミック構造体の製造方法を提供する。
【００１５】
また、本発明は、
内部に埋設された第１伝導性構造物、及び
前記第１伝導性構造物と異なる深さで埋設された第２伝導性構造物を含むセラミック構造体であって、
前記第１伝導性構造物と第２伝導性構造物がセラミック構造体の焼結時に内部に埋設されたままセラミックシートの垂直方向の収縮率を補償した電気伝導性連結部材によって電気的に連結されたセラミック構造体を提供する。
【００１６】
また、本発明は、
処理基板の支持台として前記本発明のセラミック構造体を含むプラズマ処理処置を提供する。
【発明の効果】
【００１７】
本発明のセラミック構造体は、セラミックシートの垂直方向の収縮率を補償することができる電気伝導性連結部材を使用することによって、セラミック構造体内でＲＦ電極及び／またはヒーター電極など伝導性構造物の間を副作用なしに軸方向に連結させることを可能とし、それによって寿命向上及び原価節減の効果を提供する。
【００１８】
また、本発明のセラミック構造体は、セラミック構造体内で形成された伝導性構造物と電源供給部の連結工程を単純化させ、前記伝導性構造物の間に堅固な連結ができるようにし、伝導性構造物間の連結によるノイズを最小化する効果を提供する。
【００１９】
また、本発明のセラミック構造体の製造方法は、前記のようなセラミック構造体をとても効率的に製造することができる方法を提供する。
【図面の簡単な説明】
【００２０】
【図１】従来技術のセラミック構造体の一例を模式的に図示した図面である。
【図２】本発明によるセラミック構造体の製造方法の一実施形態を模式的に図示した図面である。
【図３】本発明によるセラミック構造体を含むプラズマ処理装置の一実施形態を模式的に図示した図面である。
【図４】本発明によるセラミック構造体の一実施形態を模式的に図示した図面である。
【図５】本発明によるセラミック構造体に含まれるセラミックシートの垂直方向の収縮率を補償することができる電気伝導性連結部材の一実施形態を模式的に図示した図面である。
【発明を実施するための形態】
【００２１】
以下、本発明が属する技術分野における通常の知識を有する者が容易に実施できるように、本発明の実施形態に対して添付の図面を参照して詳しく説明する。しかし、本発明は幾つか異なる形態で具現されることができ、ここで説明する実施形態に限定されない。明細書全体にわたって類似な部分に対しては、同一な図面符号を付けた。
【００２２】
本発明は、セラミック構造体の製造方法に関する。
【００２３】
前記製造方法は、図２に例示されたように、
（ａ）第１層のセラミックシートを形成する段階（図２、（ａ））；
（ｂ）前記第１層のセラミックシートの上に第１伝導性構造物１１を形成する段階（図２、（ｂ））；
（ｃ）前記第１伝導性構造物の上に第２層のセラミックシートを形成する段階（図２、（ｃ））；
（ｄ）前記第２層のセラミックシートにセラミックシートの垂直方向の収縮率を補償することができる電気伝導性連結部材１３を埋設する段階（図２、（ｄ））；
（ｅ）前記第２層のセラミックシートの上に第２伝導性構造物１２を形成する段階（図２、（ｅ））；
（ｆ）前記第２伝導性構造物の上に第３層のセラミックシートを形成する段階（図２、（ｆ））；  及び
（ｇ）前記（ｆ）段階で製造されたセラミックシートの積層体を焼結する段階（図２、（ｇ））；を含むセラミック構造体の製造方法であって、
前記セラミック構造体は、セラミックシートの垂直方向の収縮率を補償することができる電気伝導性連結部材によって第１伝導性構造物及び第２伝導性構造物が電気的に連結された構造を含むことを特徴とする。
【００２４】
本発明で前記セラミックシートの形成は、セラミック粉末で形成したり、セラミック粉末スラリーで形成したり、予めシート形状で製造されたシートで形成することができるが、これに限定されることではなく、この分野に公知された方法によって形成されることができる。
【００２５】
例えば、セラミック粉末を混合及び乾燥して形成してもよく、セラミック粉末をモールドに挿入した後、一定の形態で成形してもよい。
【００２６】
本発明の一実施形態において、前記第１伝導性構造物及び第２伝導性構造物は、ＲＦ電極やヒーター電極であってもよいが、これらに限定されることではない。前記ヒーター電極としては、ヒーター熱線などを挙げることができる。
【００２７】
本発明の一実施形態において、前記セラミックシートの垂直方向の収縮率を補償することができる電気伝導性連結部材１３は、図５の（ａ）ないし（ｃ）に図示されたように、垂直方向の弾性を有する連結部材であってもよく、前記垂直方向の弾性を有する連結部材は、弾性ワイヤ及びスプリングなどから選択される１種以上であってもよい。前記弾性ワイヤでは、直線型弾性ワイヤ、イナズマ型弾性ワイヤなどを挙げることができる。前記スプリングでは、この分野に公知されたスプリングがいずれも使われることができ、例えば、円筒状スプリングなどが使われることができる。
【００２８】
また、図５の（ｄ）に図示されたように、キャップ１９ａと、前記キャップと嵌め合う挿入部材１９ｂを含む連結部材であってもよい。前記キャップは、セラミックシートが垂直方向に収縮する長さよりもっと深い挿入部材の挿入溝を有することができる。
【００２９】
一実施形態として、前記キャップと、前記キャップと嵌め合う挿入部材を含む連結部材は、セラミックシートの垂直方向の収縮率を考慮してキャップと挿入部材を一部締結した形態で埋設されたり、または焼結時にセラミックシートの収縮によって締結されるように間隙を形成した形態で埋設されたりすることができる。
【００３０】
また、図５に例示されたように、前記セラミックシートの垂直方向の収縮率を補償することができる電気伝導性連結部材１３は、末端に伝導性構造物との接触面積の拡大及び安定的な接触を形成するために連結端子１８をさらに含むことができる。前記連結端子１８としては、この分野に公知された様々な種類のものが使われることができる。
【００３１】
前記連結端子１８は、伝導性構造物との接触面積の拡大、安定的な接触などの側面でセラミックシートの垂直方向の収縮率を補償することができる電気伝導性連結部材１３と伝導性構造物１１、１２の電気的連結をさらに容易にして、接触をもっと確実に形成させる。
【００３２】
前記連結端子１８としては、伝導性連結部材が固定される部分の反対側の先端面が伝導性連結部材の末端と比べて２〜１００倍の断面積を有することが好ましく使われることができる。前記伝導性連結部材は、前記連結端子に溶接によって固定されることができる。
【００３３】
本発明の一実施形態において、前記第１層ないし第３層のセラミックシートを構成するセラミック素材は、窒化アルミニウム、ＳｉＣ、ＳｉＮ、Ａｌ２Ｏ３、ＡｌＯＮなどからなる群から選択される１種以上を含むことができる。これらの中でも窒化アルミニウムなどが好ましく使われることができる。
【００３４】
本発明の一実施形態において、前記第１伝導性構造物及び第２伝導性構造物の形成は、一定した形態を有する構造物を使って形成されたり、セラミックシートの上に伝導性構造物を印刷して形成されたりすることもできるが、これに限定されず、この分野に公知された方法が制限されずに適用されることができる。
【００３５】
本発明の一実施形態において、前記（ｃ）段階でセラミックシートの垂直方向の収縮率を補償することができる電気伝導性連結部材は、第２層セラミックシートの上に埋める方法によって取り付けることができる。しかし、これに限定されず、第２層セラミックシート上に孔を形成し、その孔の中にセラミックシートの垂直方向の収縮率を補償することができる電気伝導性連結部材を入れる方式で取り付けられることもできる。
【００３６】
本発明の一実施形態において、（ａ）ないし（ｆ）段階でセラミックシートの積層は側壁が形成されたモールド内で行われ、前記（ｇ）段階で焼結は垂直方向に圧力を加える方法で行われることができる。前記垂直方向の圧力は、例えば、ホットプレス（Ｈｏｔ  Ｐｒｅｓｓ）によって加えられることができる。
【００３７】
前記垂直方向の圧力は、５０ｂａｒないし２５０ｂａｒで加えられ、焼結は１，５００ないし１，９００℃の温度で行われることができるが、この分野に公知された方法によって行われることもできる。
【００３８】
本発明の一実施形態において、前記セラミック構造体は、継ぎ目がないモノリシック（ｍｏｎｏｌｉｔｈｉｃ）セラミック構造体であってもよい。
【００３９】
本発明のセラミック構造体の製造方法において、前記で限定された技術的特徴を除いた他の構成に対しては、この分野に公知された方法で制限されずに適用されることができる。例えば、連結ライン１５などは、この分野の公知の方法によって形成されることができる。
【００４０】
また、本発明は、図３ないし図４に例示されたように、
内部に埋設された第１伝導性構造物１１、及び
前記第１伝導性構造物１１と異なる深さで埋設された第２伝導性構造物１２を含むセラミック構造体であって、
前記第１伝導性構造物１１と第２伝導性構造物１２がセラミック構造体の焼結時に内部に埋設されたままセラミックシートの垂直方向の収縮率を補償した電気伝導性連結部材１３によって電気的に連結されたセラミック構造体に関する。
【００４１】
前記セラミック構造体の製造方法で記述された全ての内容は、本発明のセラミック構造体にそのまま適用されることができる。そのため、以下で不要に重なる内容を省略する。
【００４２】
本発明の一実施形態において、前記第１伝導性構造物１１及び第２伝導性構造物１２は、ＲＦ電極やヒーター電極であってもよいが、これらに限定されることではない。
【００４３】
本発明の一実施形態において、前記セラミックシートの垂直方向の収縮率を補償した電気伝導性連結部材１３は、図５の（ａ）ないし（ｃ）に図示されたように、垂直方向の弾性を有する連結部材であってもよく、前記垂直方向の弾性を有する連結部材は、弾性ワイヤ及びスプリングなどから選択される１種以上であってもよい。前記弾性ワイヤでは、直線型弾性ワイヤ、イナズマ型弾性ワイヤなどを挙げることができる。前記スプリングでは、この分野に公知されたスプリングがいずれも使われることができ、例えば、円筒状スプリングなどが使われることができる。
【００４４】
また、図５の（ｄ）に図示されたように、キャップ１９ａと、前記キャップと嵌め合う挿入部材１９ｂを含む連結部材であってもよい。前記キャップは、セラミックシートが垂直方向に収縮する長さよりもっと深い挿入部材の挿入溝を有することができる。
【００４５】
一実施形態として、前記キャップと、前記キャップと嵌め合う挿入部材を含む連結部材は、セラミックシートの垂直方向の収縮率を考慮してキャップと挿入部材を一部締結した形態で埋設されたり、または焼結時に、セラミックシートの収縮によって締結されるように間隙を形成した形態で埋設されたりすることができる。
【００４６】
また、図５に例示されたように、前記セラミックシートの垂直方向の収縮率を補償することができる電気伝導性連結部材１３は、末端に伝導性構造物との接触面積の拡大及び安定的な接触を形成するために連結端子１８をさらに含むことができる。前記連結端子１８では、この分野に公知された様々な種類のものが使われることができる。
【００４７】
前記連結端子１８は、伝導性構造物との接触面積の拡大、安定的な接触などの側面でセラミックシートの垂直方向の収縮率を補償することができる電気伝導性連結部材１３と伝導性構造物１１、１２の電気的連結をさらに容易にして、接触をもっと確実に形成させる。
【００４８】
前記連結端子１８では、伝導性連結部材が固定される部分の反対側の先端面が伝導性連結部材の末端と比べて２〜１００倍の断面積を有することが好ましく使われることができる。前記伝導性連結部材は、前記連結端子に溶接によって固定されることができる。
【００４９】
本発明の一実施形態において、前記セラミック構造体を構成するセラミック素材は、窒化アルミニウム、ＳｉＣ、ＳｉＮ、Ａｌ２Ｏ３、ＡｌＯＮなどからなる群から選択される１種以上を含むことができる。これらの中でも窒化アルミニウムなどが好ましく使われることができる。
【００５０】
本発明の一実施形態において、前記セラミック構造体は、継ぎ目がないモノリシック（ｍｏｎｏｌｉｔｈｉｃ）セラミック構造体であってもよい。
【００５１】
本発明の一実施形態において、前記セラミック構造体は、図３に例示されたように、プラズマ処理処置に処理基板の支持台として使われるものであってもよいが、これに限定されることではない。
【００５２】
また、本発明は、
処理基板の支持台として前記本発明のセラミック構造体を含むプラズマ処理処置に関する。
【００５３】
前記プラズマ処理処置において、本発明のセラミック構造体を除いた他の構成は、この分野に公知された構成が制限されずに採用されることができる。よって、他の構成に対する説明は省略する。
【００５４】
以上、本発明の好ましい実施形態について詳細に説明したが、本発明の権利範囲はこれに限定されることではなく、次の請求範囲で定義している本発明の基本概念を利用した当業者の多くの変形及び改良形態も本発明の権利範囲に属する。
【符号の説明】
【００５５】
１０：セラミック構造体
１１：第１伝導性構造物
１２：第２伝導性構造物
１３：電気伝導性連結部材
１４：ヒーター電極
１５：横方向の連結ライン
１６：ＲＦ電極リード線
１７：ヒーター電極リード線
１８：連結端子
１９ａ：キャップ
１９ｂ：挿入部材
２０：シャワーヘッド
３０：プラズマ処理装置チャンバー
４０：ウェハー
【図１】
2020202372.tif 000003
【図２】
2020202372.tif 000004
【図３】
2020202372.tif 000005
【図４】
2020202372.tif 000006
【図５】
2020202372.tif 000007